(57)【要約】【課題】  設計手順データの参照キーワードからノウハウデータベースに保存されている参照情報へのネットワーク上でのアクセスが容易にできる関連付けを行うことが可能な設計支援装置、設計支援方法、コンピュータプログラムおよび記録媒体を提供する。【解決手段】  設計支援装置１は、ＰＣ２、設計手順データ保存手段４、ノウハウデータベース６ｄｂ、機能実現手段（参照キーワード取得手段８、検索式作成手段１０、設計手順データ更新手段１２、設計手順分類番号取得手段１４、検索式実行手段１６、検索結果判定手段１８、検索キーワード取得手段２０、検索キーワード集計手段２２、参照キーワード追加判定手段２４、参照キーワード追加手段２６）などで構成してある。設計手順データ４ｄに含まれる参照キーワード３３ｗとノウハウデータベース６ｄｂに保存された参照情報３６とをアクセス検索式４３で関連付けて設計手順データ４ｄを更新する。【選択図】  図１
2006301948.tif 000002
【特許請求の範囲】
【請求項１】
設計手順および該設計手順に関連する参照情報の存在を示す参照キーワードを含む設計手順データを保存する設計手順データ保存手段と、参照情報を含むノウハウデータをデータベースソフト形態で保存するノウハウデータベースと、前記設計手順データ保存手段およびノウハウデータベースが接続されるネットワークとを備える設計支援装置であって、
前記設計手順データから参照キーワードを取得し参照キーワードデータとする参照キーワード取得手段と、
前記ノウハウデータベースに保存された参照情報へアクセスするためのアクセス検索式を前記参照キーワードデータの参照キーワードに対応させて作成する検索式作成手段と、
前記設計手順データの参照キーワードに前記アクセス検索式を付加して前記設計手順データを更新する設計手順データ更新手段と
を備えることを特徴とする設計支援装置。
【請求項２】
前記設計手順データの参照キーワードに付加したアクセス検索式を用いて前記ノウハウデータベースへアクセスすることにより確認検索を行う検索式実行手段と、
前記アクセス検索式による前記ノウハウデータベースでの確認検索の結果を評価判定する検索結果判定手段と
をさらに備えることを特徴とする請求項１に記載の設計支援装置。
【請求項３】
前記検索結果判定手段は、確認検索の結果としての検索ヒット件数と検索ヒット件数が１件以上ある場合にヒットした参照情報の内容とを出力すること
を特徴とする請求項２に記載の設計支援装置。
【請求項４】
前記ヒットした参照情報の内容の出力形式は、文章形式または画像形式であることを特徴とする請求項３に記載の設計支援装置。
【請求項５】
前記設計手順データは前記設計手順の分類を示す設計手順分類番号を含んであり、該設計手順分類番号を取得する設計手順分類番号取得手段
をさらに備えることを特徴とする請求項１ないし請求項４のいずれか一つに記載の設計支援装置。
【請求項６】
ノウハウデータベースに対するデータベースソフト形態の検索で使用された検索キーワードを取得して検索キーワードデータとする検索キーワード取得手段と、
前記検索キーワードデータでの検索キーワードの出現回数を検索キーワード集計データとして集計する検索キーワード集計手段と、
前記検索キーワード集計データを保存する検索キーワード集計データベースと、
該検索キーワード集計データベースに保存された検索キーワード集計データを評価して検索キーワードを参照キーワードとして追加するか否か判定する参照キーワード追加判定手段と、
参照キーワードとして追加すると判定した検索キーワードを前記設計手順データに参照キーワードとして追加する参照キーワード追加手段と
をさらに備えることを特徴とする請求項１ないし請求項５のいずれか一つに記載の設計支援装置。
【請求項７】
前記参照キーワード追加判定手段での追加判定基準は、変更可能な構成としてあることを特徴とする請求項６に記載の設計支援装置。
【請求項８】
設計手順および該設計手順に関連する参照情報の存在を示す参照キーワードを含む設計手順データを保存し、参照情報を含むノウハウデータをデータベースソフト形態でノウハウデータベースに保存し、前記設計手順データおよびノウハウデータをネットワークにより関連付けて設計支援する設計支援方法であって、
前記設計手順データから参照キーワードを取得し参照キーワードデータとするステップと、
前記ノウハウデータベースに保存された参照情報へアクセスするためのアクセス検索式を前記参照キーワードデータの参照キーワードに対応させて作成するステップと、
前記設計手順データの参照キーワードに前記アクセス検索式を付加して前記設計手順データを更新するステップと
を備えることを特徴とする設計支援方法。
【請求項９】
前記設計手順データの参照キーワードに付加したアクセス検索式を用いて前記ノウハウデータベースへアクセスすることにより確認検索を行うステップと、
前記アクセス検索式による前記ノウハウデータベースでの確認検索の結果を評価判定するステップと
をさらに備えることを特徴とする請求項８に記載の設計支援方法。
【請求項１０】
前記確認検索の結果を評価判定するステップは、確認検索の結果としての検索ヒット件数と検索ヒット件数が１件以上ある場合にヒットした参照情報の内容とを出力すること
を特徴とする請求項９に記載の設計支援方法。
【請求項１１】
前記ヒットした参照情報の内容の出力形式は、文章形式または画像形式であることを特徴とする請求項１０に記載の設計支援方法。
【請求項１２】
前記設計手順データは前記設計手順の分類を示す設計手順分類番号を含んであり、該設計手順分類番号を取得するステップ
をさらに備えることを特徴とする請求項８ないし請求項１１のいずれか一つに記載の設計支援方法。
【請求項１３】
ノウハウデータベースに対するデータベースソフト形態の検索で使用された検索キーワードを取得して検索キーワードデータとするステップと、
前記検索キーワードデータでの検索キーワードの出現回数を検索キーワード集計データとして集計するステップと、
前記検索キーワード集計データを検索キーワード集計データベースに保存するステップと、
前記検索キーワード集計データベースに保存された検索キーワード集計データを評価して検索キーワードを参照キーワードとして追加するか否か判定するステップと、
参照キーワードとして追加すると判定した検索キーワードを前記設計手順データに参照キーワードとして追加するステップと
をさらに備えることを特徴とする請求項８ないし請求項１２のいずれか一つに記載の設計支援方法。
【請求項１４】
前記検索キーワードを参照キーワードとして追加するか否か判定するステップでの追加判定基準は、変更可能な構成としてあることを特徴とする請求項１３に記載の設計支援方法。
【請求項１５】
コンピュータに、設計手順および該設計手順に関連する参照情報の存在を示す参照キーワードを含む設計手順データを保存し、参照情報を含むノウハウデータをデータベースソフト形態でノウハウデータベースに保存し、前記設計手順データおよびノウハウデータをネットワークにより関連付けて設計支援させるためのコンピュータプログラムであって、
コンピュータに、前記設計手順データから参照キーワードを取得し参照キーワードデータとさせるステップと、
コンピュータに、前記ノウハウデータベースに保存された参照情報へアクセスするためのアクセス検索式を前記参照キーワードデータの参照キーワードに対応して作成させるステップと、
コンピュータに、前記設計手順データの参照キーワードに前記アクセス検索式を付加して前記設計手順データを更新させるステップと
を実行させることを特徴とするコンピュータプログラム。
【請求項１６】
コンピュータに、前記設計手順データの参照キーワードに付加したアクセス検索式を用いて前記ノウハウデータベースへアクセスすることにより確認検索を行うステップと、
コンピュータに、前記アクセス検索式による前記ノウハウデータベースでの確認検索の結果を評価判定させるステップと
をさらに実行させることを特徴とする請求項１５に記載のコンピュータプログラム。
【請求項１７】
コンピュータに、前記確認検索の結果を評価判定させるステップで、確認検索の結果としての検索ヒット件数と検索ヒット件数が１件以上ある場合にヒットした参照情報の内容とを出力させること
を特徴とする請求項１６に記載のコンピュータプログラム。
【請求項１８】
前記ヒットした参照情報の内容の出力形式は、文章形式または画像形式であることを特徴とする請求項１７に記載のコンピュータプログラム。
【請求項１９】
前記設計手順データは前記設計手順の分類を示す設計手順分類番号を含んであり、コンピュータに、前記設計手順分類番号を取得させるステップ
をさらに実行させることを特徴とする請求項１５ないし請求項１８のいずれか一つに記載のコンピュータプログラム。
【請求項２０】
コンピュータに、ノウハウデータベースに対するデータベースソフト形態の検索で使用された検索キーワードを取得して検索キーワードデータとさせるステップと、
コンピュータに、前記検索キーワードデータでの検索キーワードの出現回数を検索キーワード集計データとして集計させるステップと、
コンピュータに、前記検索キーワード集計データを検索キーワード集計データベースに保存させるステップと、
コンピュータに、前記検索キーワード集計データベースに保存された検索キーワード集計データを評価して検索キーワードを参照キーワードとして追加するか否か判定させるステップと、
コンピュータに、参照キーワードとして追加すると判定した検索キーワードを前記設計手順データに参照キーワードとして追加させるステップと
をさらに実行させることを特徴とする請求項１５ないし請求項１９のいずれか一つに記載のコンピュータプログラム。
【請求項２１】
前記検索キーワードを参照キーワードとして追加するか否か判定させるステップでの追加判定基準は、変更可能な構成としてあることを特徴とする請求項２０に記載のコンピュータプログラム。
【請求項２２】
コンピュータプログラムを記録したコンピュータでの読み取りが可能な記録媒体において、
前記コンピュータプログラムは請求項１５ないし請求項２１のいずれか一つに記載のコンピュータプログラムであることを特徴とするコンピュータでの読み取りが可能な記録媒体。
【発明の詳細な説明】
【技術分野】
【０００１】
本発明は、製品開発に係る設計業務に対する設計支援を行うために電子データ化した設計手順と設計手順に関連する参照情報とを提示することにより、設計者に対する設計支援を行う設計支援装置、設計支援方法、コンピュータに設計支援をさせるためのコンピュータプログラムおよびこのようなコンピュータプログラムを記録した記録媒体に関する。
【背景技術】
【０００２】
家電製品をはじめとするさまざまな製品を製造する製造業では、ベテランといわれる技術者の知識（情報）を電子文書化し、開発に携わる技術者の間で共有することにより、開発効率、設計効率を上げる取り組みを行っている。その際、単にベテラン技術者の知識を電子文書化するだけでなく、関連する資料や設計開発に必要なツール（たとえば、ＣＡＤ、シミュレーションなど）も文書化された情報に関連付け、最終的にはパーソナルコンピュータ（パソコン）上ですべての情報を効率よく参照できるようにする方法が提案されている。
【０００３】
その際、電子文書化したベテラン技術者の知識は、デジタルデータとしてコンピュータ上で閲覧できる形に変換する（たとえば、ＰＤＦやテキストフォーマット）が、デジタル化したベテラン技術者の知識（電子文書）とそれに関連した資料（より詳細な電子文書）を関係付けるためには、ベテラン技術者の知識を文書化しそれをデジタル化する際に同時に関連付けておくか、一端デジタル化したベテラン技術者の知識に後から手動で関連付けを誰かが行うといった方法が一般的であり、最近はその作業を自動化する動きもある（例えば、特許文献１参照。）。
【０００４】
例えば特許文献１では、ある設計プロセスにおいて参照すべき情報（設計ナレッジ）が存在するかどうかを定期的に確認することで関連付けを行っている。
【０００５】
しかしながら特許文献１の技術では、参照情報を関連付ける際、データベースに存在するファイルの日付を確認し、これまで参照していたファイルよりも日付が新しい場合は更新してしまうため、過去のノウハウがそこで参照できなくなるといった問題がある。また日付とキーワードの突合せで関連付けを行っているため、必ずしもその設計プロセスで必要とされる情報が関連付けられるわけではないという問題もある。
【特許文献１】特開２００３−３１６８２９号公報
【発明の開示】
【発明が解決しようとする課題】
【０００６】
本発明はこのような状況に鑑みてなされたものであり、ベテラン技術者の知識（設計手順および参照情報の存在を示す参照キーワード）を文書化しデジタル化してコンピュータ上で処理できる設計手順データとして保存する際に設計手順データに含まれる参照キーワードとノウハウデータベースに保存された参照情報とをアクセス検索式で関連付けて設計手順データを更新することにより、設計手順データの参照キーワードからノウハウデータベースに保存されている参照情報へのネットワーク上でのアクセスが容易にできる関連付けを正確にかつ容易に行うことが可能な設計支援装置、設計支援方法、コンピュータプログラムおよび記録媒体を提供することを目的とする。
【０００７】
また、本発明は、アクセス検索式を用いてノウハウデータベースへの問い合わせ（確認検索）を行い、アクセス検索式による確認検索の結果を評価判定することにより、設計手順データの参照キーワードとノウハウデータベースに保存されている参照情報との関連付けが正しく行われているか否かを容易に検証することが可能な設計支援装置、設計支援方法、コンピュータプログラムおよび記録媒体を提供することを他の目的とする。
【０００８】
また、本発明は、ノウハウデータベースでの検索で使用された検索キーワードの利用度を監視評価し、有益な検索キーワードであると判定した場合には設計手順データに参照情報（参照キーワード）として追加して更新することにより、ノウハウデータベースでの利用実績に応じて設計手順データの内容（参照情報に対応する参照キーワード）を充実化することが可能となり、設計手順データとノウハウデータベースとの関連性をより密接にすることにより設計手順データの信頼度と利便性（使い勝手）を確実に向上することができる設計支援装置、設計支援方法、コンピュータプログラムおよび記録媒体を提供することを他の目的とする。
【課題を解決するための手段】
【０００９】
本発明に係る設計支援装置は、設計手順および該設計手順に関連する参照情報の存在を示す参照キーワードを含む設計手順データを保存する設計手順データ保存手段と、参照情報を含むノウハウデータをデータベースソフト形態で保存するノウハウデータベースと、前記設計手順データ保存手段およびノウハウデータベースが接続されるネットワークとを備える設計支援装置であって、前記設計手順データから参照キーワードを取得し参照キーワードデータとする参照キーワード取得手段と、前記ノウハウデータベースに保存された参照情報へアクセスするためのアクセス検索式を前記参照キーワードデータの参照キーワードに対応させて作成する検索式作成手段と、前記設計手順データの参照キーワードに前記アクセス検索式を付加して前記設計手順データを更新する設計手順データ更新手段とを備えることを特徴とする。
【００１０】
この構成により、アクセス検索式を付加して更新した設計手順データ（更新設計手順データ）の参照キーワードからノウハウデータベースに保存されている参照情報への関連付けをアクセス検索式により行うことから、ネットワーク上でのアクセスが可能な関連付けを正確かつ容易に行うことが可能となり、設計支援レベルを向上することができる。設計手順データ（更新設計手順データ）とノウハウデータベースをアクセス検索式によりネットワークで接続（関連付け）することから更新設計手順データおよびノウハウデータベースそれぞれの大容量化（大規模な蓄積）が進んだ場合でも容易に相互の関連付けが可能であり設計支援情報として有効に活用することが可能となる。
【００１１】
本発明に係る設計支援装置では、前記設計手順データの参照キーワードに付加したアクセス検索式を用いて前記ノウハウデータベースへアクセスすることにより確認検索を行う検索式実行手段と、前記アクセス検索式による前記ノウハウデータベースでの確認検索の結果を評価判定する検索結果判定手段とをさらに備えることを特徴とする。
【００１２】
この構成により、アクセス検索式に対応する参照情報をノウハウデータベースから抽出することができることから、更新した設計手順データ（更新設計手順データ）の参照キーワードとノウハウデータベースに保存されている参照情報との関連付けが正しく行われているか否かを容易に検証することが可能となる。また、実設計に際して、検証済みの設計手順データ（更新設計手順データ）を用いた設計支援が可能となることから、設計業務での設計完成度を確実に向上することが可能となる。
【００１３】
本発明に係る設計支援装置では、前記検索結果判定手段は、確認検索の結果としての検索ヒット件数と検索ヒット件数が１件以上ある場合にヒットした参照情報の内容とを出力することを特徴とする。
【００１４】
この構成により、検索ヒット件数およびヒットした参照情報の内容（ノウハウデータベースから抽出した参照情報の内容）を容易に確認することができることから、関連付けの検証を正確に行うことが可能となる。
【００１５】
本発明に係る設計支援装置では、前記ヒットした参照情報の内容の出力形式は、文章形式または画像形式であることを特徴とする。
【００１６】
この構成により、参照情報の内容を文章または画像として確認することができるので、内容確認作業を効率的に行うことが可能となる。
【００１７】
本発明に係る設計支援装置では、前記設計手順データは前記設計手順の分類を示す設計手順分類番号を含んであり、該設計手順分類番号を取得する設計手順分類番号取得手段をさらに備えることを特徴とする。
【００１８】
この構成により、設計手順分類番号を操作単位（処理単位）として更新した設計手順データの参照キーワードとノウハウデータベースの参照情報との関連付けを検証することができるので、検証作業の効率を向上することができる。また、設計手順分類番号を操作単位（処理単位）として設計支援装置を利用することができるので、設計手順分類番号毎に設計支援の実行処理を行うことが可能となり、効率的な設計支援が可能となる。
【００１９】
本発明に係る設計支援装置では、ノウハウデータベースに対するデータベースソフト形態の検索で使用された検索キーワードを取得して検索キーワードデータとする検索キーワード取得手段と、前記検索キーワードデータでの検索キーワードの出現回数を検索キーワード集計データとして集計する検索キーワード集計手段と、前記検索キーワード集計データを保存する検索キーワード集計データベースと、該検索キーワード集計データベースに保存された検索キーワード集計データを評価して検索キーワードを参照キーワードとして追加するか否か判定する参照キーワード追加判定手段と、参照キーワードとして追加すると判定した検索キーワードを前記設計手順データに参照キーワードとして追加する参照キーワード追加手段とをさらに備えることを特徴とする。
【００２０】
この構成により、ノウハウデータベースでの検索で使用された検索キーワードの利用度を監視評価し、有益な検索キーワードであると判定した場合には設計手順データに参照キーワードとして追加することから、ノウハウデータベースでの利用実績に応じて設計手順データの内容（参照情報の存在を示す参照キーワード）を充実化することが可能となり、設計手順データとノウハウデータベースとの関連性を経時的に向上させて設計手順データの信頼度と利用性（使い勝手）を確実に向上することができる。
【００２１】
本発明に係る設計支援装置では、前記参照キーワード追加判定手段での追加判定基準は、変更可能な構成としてあることを特徴とする。
【００２２】
この構成により、設計支援装置のユーザの必要度に応じた追加判定基準とすることが可能となる。
【００２３】
本発明に係る設計支援方法は、設計手順および該設計手順に関連する参照情報の存在を示す参照キーワードを含む設計手順データを保存し、参照情報を含むノウハウデータをデータベースソフト形態でノウハウデータベースに保存し、前記設計手順データおよびノウハウデータをネットワークにより関連付けて設計支援する設計支援方法であって、前記設計手順データから参照キーワードを取得し参照キーワードデータとするステップと、前記ノウハウデータベースに保存された参照情報へアクセスするためのアクセス検索式を前記参照キーワードデータの参照キーワードに対応させて作成するステップと、前記設計手順データの参照キーワードに前記アクセス検索式を付加して前記設計手順データを更新するステップとを備えることを特徴とする。この構成により、本発明に係る設計支援装置と同様の機能、作用を実現することができる。
【００２４】
本発明に係る設計支援方法では、前記設計手順データの参照キーワードに付加したアクセス検索式を用いて前記ノウハウデータベースへアクセスすることにより確認検索を行うステップと、前記アクセス検索式による前記ノウハウデータベースでの確認検索の結果を評価判定するステップとをさらに備えることを特徴とする。この構成により、本発明に係る設計支援装置と同様の機能、作用を実現することができる。
【００２５】
本発明に係る設計支援方法では、前記確認検索の結果を評価判定するステップは、確認検索の結果としての検索ヒット件数と検索ヒット件数が１件以上ある場合にヒットした参照情報の内容とを出力することを特徴とする。この構成により、本発明に係る設計支援装置と同様の機能、作用を実現することができる。
【００２６】
本発明に係る設計支援方法では、前記ヒットした参照情報の内容の出力形式は、文章形式または画像形式であることを特徴とする。この構成により、本発明に係る設計支援装置と同様の機能、作用を実現することができる。
【００２７】
本発明に係る設計支援方法では、前記設計手順データは前記設計手順の分類を示す設計手順分類番号を含んであり、該設計手順分類番号を取得するステップをさらに備えることを特徴とする。この構成により、本発明に係る設計支援装置と同様の機能、作用を実現することができる。
【００２８】
本発明に係る設計支援方法では、ノウハウデータベースに対するデータベースソフト形態の検索で使用された検索キーワードを取得して検索キーワードデータとするステップと、前記検索キーワードデータでの検索キーワードの出現回数を検索キーワード集計データとして集計するステップと、前記検索キーワード集計データを検索キーワード集計データベースに保存するステップと、前記検索キーワード集計データベースに保存された検索キーワード集計データを評価して検索キーワードを参照キーワードとして追加するか否か判定するステップと、参照キーワードとして追加すると判定した検索キーワードを前記設計手順データに参照キーワードとして追加するステップとをさらに備えることを特徴とする。この構成により、本発明に係る設計支援装置と同様の機能、作用を実現することができる。
【００２９】
本発明に係る設計支援方法では、前記検索キーワードを参照キーワードとして追加するか否か判定するステップでの追加判定基準は、変更可能な構成としてあることを特徴とする。この構成により、本発明に係る設計支援装置と同様の機能、作用を実現することができる。
【００３０】
本発明に係るコンピュータプログラムは、コンピュータに、設計手順および該設計手順に関連する参照情報の存在を示す参照キーワードを含む設計手順データを保存し、参照情報を含むノウハウデータをデータベースソフト形態でノウハウデータベースに保存し、前記設計手順データおよびノウハウデータをネットワークにより関連付けて設計支援させるためのコンピュータプログラムであって、コンピュータに、前記設計手順データから参照キーワードを取得し参照キーワードデータとさせるステップと、コンピュータに、前記ノウハウデータベースに保存された参照情報へアクセスするためのアクセス検索式を前記参照キーワードデータの参照キーワードに対応して作成させるステップと、コンピュータに、前記設計手順データの参照キーワードに前記アクセス検索式を付加して前記設計手順データを更新させるステップとを実行させることを特徴とする。この構成により、本発明に係る設計支援装置、設計支援方法と同様の機能、作用を実現することができる。
【００３１】
本発明に係るコンピュータプログラムでは、コンピュータに、前記設計手順データの参照キーワードに付加したアクセス検索式を用いて前記ノウハウデータベースへアクセスすることにより確認検索を行うステップと、コンピュータに、前記アクセス検索式による前記ノウハウデータベースでの確認検索の結果を評価判定させるステップとをさらに実行させることを特徴とする。この構成により、本発明に係る設計支援装置、設計支援方法と同様の機能、作用を実現することができる。
【００３２】
本発明に係るコンピュータプログラムでは、コンピュータに、前記確認検索の結果を評価判定させるステップで、確認検索の結果としての検索ヒット件数と検索ヒット件数が１件以上ある場合にヒットした参照情報の内容とを出力させることを特徴とする。この構成により、本発明に係る設計支援装置、設計支援方法と同様の機能、作用を実現することができる。
【００３３】
本発明に係るコンピュータプログラムでは、前記ヒットした参照情報の内容の出力形式は、文章形式または画像形式であることを特徴とする。この構成により、本発明に係る設計支援装置、設計支援方法と同様の機能、作用を実現することができる。
【００３４】
本発明に係るコンピュータプログラムでは、前記設計手順データは前記設計手順の分類を示す設計手順分類番号を含んであり、コンピュータに、前記設計手順分類番号を取得させるステップをさらに実行させることを特徴とする。この構成により、本発明に係る設計支援装置、設計支援方法と同様の機能、作用を実現することができる。
【００３５】
本発明に係るコンピュータプログラムでは、コンピュータに、ノウハウデータベースに対するデータベースソフト形態の検索で使用された検索キーワードを取得して検索キーワードデータとさせるステップと、コンピュータに、前記検索キーワードデータでの検索キーワードの出現回数を検索キーワード集計データとして集計させるステップと、コンピュータに、前記検索キーワード集計データを検索キーワード集計データベースに保存させるステップと、コンピュータに、前記検索キーワード集計データベースに保存された検索キーワード集計データを評価して検索キーワードを参照キーワードとして追加するか否か判定させるステップと、コンピュータに、参照キーワードとして追加すると判定した検索キーワードを前記設計手順データに参照キーワードとして追加させるステップとをさらに実行させることを特徴とする。この構成により、本発明に係る設計支援装置、設計支援方法と同様の機能、作用を実現することができる。
【００３６】
本発明に係るコンピュータプログラムでは、前記検索キーワードを参照キーワードとして追加するか否か判定させるステップでの追加判定基準は、変更可能な構成としてあることを特徴とする。この構成により、本発明に係る設計支援装置、設計支援方法と同様の機能、作用を実現することができる。
【００３７】
本発明に係る記録媒体は、コンピュータプログラムを記録したコンピュータでの読み取りが可能な記録媒体において、前記コンピュータプログラムは本発明に係るコンピュータプログラムであることを特徴とする。この構成により、本発明に係る設計支援装置、設計支援方法、コンピュータプログラムと同様の機能、作用を実現することができるコンピュータプログラムを容易に流通させ、利用することが可能となる。
【発明の効果】
【００３８】
本発明に係る設計支援装置、設計支援方法、コンピュータプログラム、および記録媒体によれば、設計手順データに含まれる参照キーワードとノウハウデータベースに保存された参照情報とをアクセス検索式で関連付けて設計手順データを更新することにより、設計手順データの参照キーワードからノウハウデータベースに保存されている参照情報へのネットワーク上でのアクセスが容易にできる関連付けを正確にかつ容易に行うことが可能となることから、設計情報としてより詳細で精度の高い参照情報を関連付けることができるため、実際の設計において、設計完成度を確実に向上させることができるという効果を奏する。
本発明に係る設計支援装置、設計支援方法、コンピュータプログラム、および記録媒体によれば、アクセス検索式を用いてノウハウデータベースへの問い合わせ（確認検索）を行い、アクセス検索式による確認検索の結果を評価判定することにより、設計手順データの参照キーワードとノウハウデータベースに保存されている参照情報との関連付けが正しく行われているか否かを容易に検証することが可能となることから、精度の高い関連付けを保証することができるため、実際の設計において、設計完成度を確実に向上させることができるという効果を奏する。
本発明に係る設計支援装置、設計支援方法、コンピュータプログラム、および記録媒体によれば、ノウハウデータベースでの検索で使用された検索キーワードの利用度を監視評価し、有益な検索キーワードであると判定した場合には設計手順データに参照情報（参照キーワード）として追加して更新することにより、ノウハウデータベースでの利用実績に応じて設計手順データの内容（参照情報に対応する参照キーワード）を充実化することが可能となり、設計手順データを経時的、自動的に絶えず更新できることから、設計手順データとノウハウデータベースとの関連性をより密接にすることにより設計手順データの信頼度と利便性（使い勝手）を確実に向上することが可能となるという効果を奏する。
【発明を実施するための最良の形態】
【００３９】
以下、本発明の実施の形態を図面に基づいて説明する。
【００４０】
＜実施の形態１＞
図１は、本発明の実施の形態１に係る設計支援装置の概略構成を示すブロック図である。
【００４１】
本実施の形態に係る設計支援装置１は、コンピュータネットワーク構成としてあり、操作端末機としてのパーソナルコンピュータ（ＰＣ）２、コンピュータで構成したサーバ６（ノウハウデータベース６ｄｂ）などを例えばネットワークＮＷにより相互に接続して構成してある。ネットワークＮＷにはＰＣ２以外にも複数の他のＰＣ（不図示）を接続することが可能であり、大量の設計支援データをそれぞれの設計者がそれぞれの操作端末機である各ＰＣから適宜アクセスして利用可能な形態としてある。また、大量のデータを保存するためにノウハウデータベース６ｄｂはデータ保存専用のサーバ６に保存することが好ましい。
【００４２】
なお、設計支援装置１を単独のＰＣで構成してスタンドアロン形態とすることも可能であり、この場合にはネットワークＮＷはＰＣ内部での接続を示すバスに置き換えられる。
【００４３】
設計支援装置１は、ＰＣ２、設計手順データ保存手段４、ノウハウデータベース６ｄｂ、各種の機能実現手段（参照キーワード取得手段８、検索式作成手段１０、設計手順データ更新手段１２、設計手順分類番号取得手段１４、検索式実行手段１６、検索結果判定手段１８、検索キーワード取得手段２０、検索キーワード集計手段２２、参照キーワード追加判定手段２４、参照キーワード追加手段２６）などを構成部（機能実現手段）として構成してある。
【００４４】
これらの機能実現手段はネットワークＮＷで接続され、相互にデータ通信を行うことができるように構成してあり、機能を実現する機能実現手段として個別にあるいは他の手段と連携して動作することができる。
【００４５】
また、各機能実現手段はＰＣ２の外部に取り出して個別のブロックで図示しているが、必ずしもハードウエア構成として外部に接続されるわけではなく、ＰＣ２の内部にコンピュータプログラムとして組み込むことによりソフトウエアによる機能実現手段として構成することが好ましい。
【００４６】
データを保存する設計手順データ保存手段４、ノウハウデータベース６ｄｂはデータの共有化を図り、大容量化に対応できるようにするためにＰＣ２とは異なるＰＣ（サーバ６）などで構成することが好ましい。
【００４７】
なお、ＯＳ（オペレーティングシステム）としては種々の方式のものを用いることが可能であることも言うまでもない。また、必要に応じた適宜の文書作成ツール（言語処理ソフト、表計算ソフトなど）、データベースソフト（データベースを定義して管理や活用をするためのソフト。ネットワークＮＷに対応可能な構成としてある）を組み込んである。
【００４８】
ＰＣ２は、操作端末機として機能し、制御手段２ａ、入力手段２ｂ、出力手段２ｃを備える。制御手段２ａはキーボード、マウス（ポインタ）などで構成される入力手段２ｂからの指示を受けて適宜の入力信号（指示信号）をネットワークＮＷに送出し、他の機能実現手段を動作させる。
【００４９】
出力手段２ｃは各機能実現手段からの出力信号をネットワークＮＷから受け取り、例えば表示装置により表示する。操作者は出力手段２ｃからの各種の情報、データ、指示などを適宜確認することにより各ステップで必要となる指示を入力手段２ｂにより行うことが可能となる。
【００５０】
制御手段２ａにコンピュータプログラムを記憶する記憶装置（不図示）が接続してあり、予め読み込んであるコンピュータプログラムにより設計支援装置１としての機能を制御させることができる。
【００５１】
また、制御手段２ａへのコンピュータプログラムのインストールには、記憶装置へのコンピュータプログラムの読み込みが可能となるように記録媒体読み取り装置（不図示）を接続し、外部の記録媒体（不図示）から設計支援装置１の機能を制御するコンピュータプログラムを読み取る構成とすることも可能である。記録媒体としては、通常利用されるＣＤ−ＲＯＭ、ＤＶＤなどを用いることが可能である。記録媒体を用いることにより簡便な方法でコンピュータプログラムを流通させることが可能となり、設計支援装置１の汎用性を高めることが可能となる。
【００５２】
なお、ネットワークＮＷを介して他のコンピュータ（不図示）から、設計支援装置１の機能を制御するコンピュータプログラムを読み取る構成とすることが可能であることは言うまでもない。
【００５３】
記録媒体からコンピュータプログラムを読み取る形態とすることにより、設計支援装置１の機能を制御するコンピュータプログラムのバージョンアップが容易となり、機能性の高い設計支援装置１とすることが可能となる。
【００５４】
設計手順データ保存手段４は、例えば電気製品などを設計するときの手順を説明してある設計手順、設計手順に関連する参照情報３６（図３参照）の存在を示す参照キーワード３３ｗ、設計手順の分類を示す設計手順分類番号３１を含む設計手順データ４ｄ（４ｄｒ）（図３、図６参照）を電子データ（例えばＰＤＦ、テキストフォーマットなど）として保存する形態としてある。設計手順データ保存手段４としては、通常の記憶装置を用いることができる。
【００５５】
設計手順データ４ｄは、例えばＰＤＦ形式で保存する場合には、入力手段２ｂによりスキャナを用いて入力することができる。また、ワードプロセッサにより作成された電子データ形式で保存する場合には、入力手段２ｂから直接入力することもできるし、ネットワークＮＷを介して他のＰＣから入力（複写および貼付の形態などで）することもできる。
【００５６】
なお、設計手順データ４ｄは、保存後の処理により更新された設計手順データ４ｄｒ（更新設計手順データ４ｄｒ）となる。更新は１度に限らず、継続的に繰り返し行うことができることから、１度更新され更新設計手順データ４ｄｒとされた場合でも２回目の更新に対しては更新前の設計手順データ４ｄとして位置づけられる。設計手順データ４ｄ（４ｄｒ）の更新形態としては他の実施の形態で示すように参照キーワード３３ｗにアクセス検索式４３を張り付ける場合（実施の形態２、図６）と参照キーワード３３ｓを追加する場合（実施の形態３、図１２）とがある。
【００５７】
ノウハウデータベース６ｄｂは、いわゆるデータベースソフト形態で機能するサーバ６で構成することにより、大量のノウハウデータ６ｄを保存し、共有化することが可能である。ノウハウデータ６ｄには、設計手順データ４ｄに関連してさらに詳細を示す参照情報３６など各種の情報が含まれる。データベースソフト形態（例えば、一般的なデータベースソフトで構成）で各種の情報を保存することから、Ｗｅｂからのアクセスが可能な構成としてあり、また、サーバ６にインストールした専用の検索ソフトを用いて、保存してあるノウハウデータ６ｄを閲覧、検索することが可能な構成としてある。
【００５８】
つまり、ノウハウデータベース６ｄｂに保存（登録）されたノウハウデータ６ｄは、ファイル名、日付、ファイルサイズなどの一般的な属性を検索キーワード（６８（図１０参照））として保持することができる。また、登録したノウハウデータ６ｄのサムネイルを自動的に作成する機能（例えば登録したノウハウデータ６ｄの内容を小さい画像ファイルとして作成、表示する機能）を備える。
【００５９】
参照キーワード取得手段８は、設計手順データ４ｄから参照キーワード３３ｗを取得し参照キーワードデータ８ｄ（図４参照）を作成する。検索式作成手段１０は、ノウハウデータベース６ｄｂに保存された参照情報３６へアクセスするためのアクセス検索式４３（図５参照）を、参照キーワードデータ８ｄの参照キーワード３３ｗに対応させて作成する。設計手順データ更新手段１２は、設計手順データ４ｄの参照キーワード３３ｗにアクセス検索式４３を付加（貼り付け）して設計手順データ４ｄ（更新設計手順データ４ｄｒ）を更新し、更新設計手順データ４ｄｒ（図６、図１２参照）とする。
【００６０】
アクセス検索式４３の付加により、更新設計手順データ４ｄｒの参照キーワード３３ｗからノウハウデータベース６ｄｂに保存されている参照情報３６に対する関連付けをアクセス検索式４３により行うことができることとなり、ネットワーク上でのアクセスが可能な関連付けを正確かつ容易に行うことが可能となり、設計支援レベルを向上することができる。
【００６１】
設計手順分類番号取得手段１４は、設計手順分類番号（図３参照）を取得する。設計手順分類番号の取得により、設計手順分類番号を操作単位（処理単位）として、更新設計手順データ４ｄｒの参照キーワード３３ｗとノウハウデータベース６ｄｂの参照情報３６との関連付け（および次に示す検証）を実行することができるので、検証作業の効率を向上することができる。また、設計手順分類番号を操作単位（処理単位）として設計支援装置１を利用することができるので、設計手順分類番号毎に設計支援の実行処理を行うことが可能となり、効率的な設計支援が可能となる。
【００６２】
検索式実行手段１６は、更新設計手順データ４ｄｒの参照キーワード３３ｗに貼り付けられたアクセス検索式４３を用いてノウハウデータベース６ｄｂへアクセスすることにより関連付けの妥当性を確認するための確認検索を行う。検索結果判定手段１８は、アクセス検索式４３によるノウハウデータベース６ｄｂへの確認検索の結果を評価判定する。
【００６３】
検索式実行手段１６によりアクセス検索式４３に対応する参照情報３６をノウハウデータベース６ｄｂから抽出することができることから、更新設計手順データ４ｄｒの参照キーワード３３ｗとノウハウデータベース６ｄｂに保存されている参照情報３６との関連付けが正しく行われているか否かを容易に検証することが可能となる。
【００６４】
検索結果判定手段１８により確認検索の結果を評価判定して操作者に表示（例えば、出力手段２ｃ）することが可能となることから関連付けの妥当性を効率良く確認することができ、関連付け作業の効率を向上させることができる。
【００６５】
また、実設計に際して、検証済みの設計手順データ４ｄ（更新設計手順データ４ｄｒ）を用いた設計支援が可能となることから、設計業務での設計完成度を確実に向上することが可能となる。なお、検証を終了した後の更新設計手順データ４ｄｒは通常の設計手順データ４ｄとして扱うこととなる。
【００６６】
検索キーワード取得手段２０は、ノウハウデータベース６ｄｂに対するデータベースソフト形態の検索で使用された検索キーワード６８を取得して検索キーワードデータ２０ｄ（図１０参照）を作成する。検索キーワード集計手段２２は、検索キーワードデータ２０ｄでの検索キーワード６８の出現回数を検索キーワード集計データ２２ｄ（図１１参照）として集計し、併せて集計に対応する検索が実行された日時を検索日時テーブルデータ２２ｔｄ（図１１参照）として記録する。検索日時を記録することにより期間を設定して各種の処理を行うことができる。また、使用された検索キーワード６８の経時変化を確認することが可能となり、動向分析をすることができる。
【００６７】
検索キーワード集計データベース２２ｄｂは、検索キーワード集計データ２２ｄ、検索日時テーブルデータ２２ｔｄを保存する。参照キーワード追加判定手段２４は、検索キーワード集計データベース２２ｄｂに保存された検索キーワード集計データ２２ｄを評価して検索キーワード６８を参照キーワード３３ｓ（図１２参照）として追加するか否か判定する。参照キーワード追加手段２６は、参照キーワード３３ｓとして追加すると判定した検索キーワード６８を設計手順データ４ｄに参照キーワード３３ｓとして追加する。
【００６８】
したがって、ノウハウデータベース６ｄｂでの検索で使用された検索キーワード６８の利用度を監視評価し、有益な検索キーワード６８であると判定した場合には設計手順データ４ｄ（更新された設計手順データ４ｄｒを含む）に参照キーワード３３ｓとして追加することから、ノウハウデータベース６ｄｂでの利用実績に応じて設計手順データ４ｄの内容（参照情報３６の存在を示す参照キーワード３３ｓ）を補充して充実化することが可能となり、設計手順データ４ｄとノウハウデータベース６ｄｂとの関連性を経時的に向上させて設計手順データ４ｄの信頼度と利便性（使い勝手）を確実に向上することができる。
【００６９】
本実施の形態では、設計手順データ４ｄ（更新設計手順データ４ｄｒ）とノウハウデータベース６ｄｂをアクセス検索式４３によりネットワークＮＷで接続（関連付け）することから更新設計手順データ４ｄｒおよびノウハウデータベース６ｄｂそれぞれの大容量化（大規模な蓄積）が進んだ場合でも容易に相互の関連付けが可能であり設計支援情報として有効に活用することが可能となる。
【００７０】
＜実施の形態２＞
図２は、本発明の実施の形態２に係る設計支援装置で参照キーワードにノウハウデータベースを関連付ける場合の処理フローを示すフロー図である。なお、各ステップでそれぞれ関連する図３ないし図８についても併せて説明する。
【００７１】
図３は、本発明の実施の形態２に係る設計支援装置での設計手順データおよびノウハウデータの構成例を示す説明図表である。図４は、本発明の実施の形態２に係る設計支援装置での参照キーワードデータの構成例を示す説明図表である。図５は、本発明の実施の形態２に係る設計支援装置でのアクセス検索式の構成例を示す説明図である。図６は、本発明の実施の形態２に係る設計支援装置での更新設計手順データの構成例を示す説明図表である。図７は、本発明の実施の形態２に係る設計支援装置での確認検索結果データの構成例を示す説明図表である。図８は、本発明の実施の形態２に係る設計支援装置での確認検索評価判定データの構成例を示す説明図表であり、（Ａ）はヒット件数が１件以上の場合の構成例であり、（Ｂ）はヒット件数が０件の場合の構成例である。
【００７２】
ステップＳ１：
設計支援情報としての設計手順データ（４ｄ）をＰＣ２（制御手段２ａ、入力手段２ｂ）により適宜入力して、設計手順データ保存手段４に所定の形式を有する設計手順データ４ｄ（図３）として保存する。
【００７３】
図３では、設計手順データ４ｄとして、設計手順分類番号欄３１、設計手順欄３２、参照情報欄３３を一覧形式にしてある。設計手順分類番号欄３１には設計手順の分類番号が記述されており、例えば「５−１−１」という設計手順分類番号が付与してある。設計手順欄３２には、設計手順分類番号５−１−１で行う設計手順が詳細に記述してある。設計手順欄３２の右側には参照情報欄３３が設けてあり、設計を進める上で参照すべき参照情報３６の存在を示す参照キーワード３３ｗが記述されている。例えば「風量試験資料」と「騒音試験資料」が参照キーワード３３ｗとして記述してある。
【００７４】
ステップＳ３：
参照情報３６に対応するノウハウデータ（６ｄ）を設計手順データ４ｄと同様に入力し、ノウハウデータベース６ｄｂにノウハウデータ６ｄ（図３）として保存する。
【００７５】
図３では、理解のためにノウハウデータ６ｄの資料構成例も併せて示している。参照キーワード３３ｗとしての「風量試験資料」に対応する参照情報３６は、資料分類名称３５で「風量試験資料」として区分して保存されており、具体的には「２００４年風量試験結果」「２００３年風量試験結果」「２００２年風量試験結果」が参照情報３６として存在することを示している。
【００７６】
ステップＳ５：
設計手順分類番号取得手段１４により、設計手順データ４ｄ（設計手順分類番号欄３１）から例えば設計手順分類番号「５−１−１」を取得する。
【００７７】
なお、ステップＳ１からステップＳ５までの処理は、事前の準備的なステップであり、別途実施しておくことが可能である。
【００７８】
ステップＳ７：
参照キーワード取得手段８により、設計手順データ４ｄの参照情報欄３３に記述している内容（参照キーワード３３ｗ）を取得し、参照キーワードデータ８ｄ（図４）を作成する。このとき、設計手順分類番号３１を指定することにより、設計手順分類番号３１単位で参照キーワードデータ８ｄを作成することができる。
【００７９】
図４では、設計手順分類番号は「５−１−１」であることを設計手順分類番号欄４０で示し、設計手順分類番号５−１−１の設計手順データ４ｄ（参照情報欄３３）から参照キーワード３３ｗとして「風量試験資料」「騒音試験資料」を取得したことを参照キーワード欄４１で示している。また、参照キーワード欄４１に対応させてアドレス（アクセス検索式の作成に利用する）を追加できるようにアドレス欄４２を設けている。
【００８０】
ステップＳ９：
検索式作成手段１０により、ノウハウデータベース６ｄｂに保存された参照情報３６へネットワークＮＷを介してアクセスするためのアクセス検索式４３（図５）を参照キーワードデータ８ｄの参照キーワード３３ｗに対応させて作成する。
【００８１】
図５では、アクセス検索式４３を、サーバ６のＩＰアドレス（ノウハウデータベース６ｄｂを構築しているサーバ６のＩＰアドレスである１３３．４５．２０．１１０）、データベースの名前（サーバ６の中に構築してあるノウハウデータベース６ｄｂの名前であるｋｎｏｗｈｏｗｄｂ）、および参照キーワード３３ｗ（例えば、風量試験資料）を含む検索文字列として構成（作成）した場合を示している。なお、アクセス検索式４３の最初に付した文字列「ｈｔｔｐ：」により、アクセス検索式４３はネットワークＮＷで転送可能となり、アクセスが可能なアクセス検索式４３となる。
【００８２】
ノウハウデータベース６ｄｂを構築しているサーバ６のＩＰアドレス、データベースの名前は検索式作成手段１０に予め登録しておく。検索式作成手段１０は、サーバ６のＩＰアドレスおよびデータベースの名前の後に区切り記号としての「？」マークおよび検索コマンドとしての「Ｋｅｙ＝」を配置し、「Ｋｅｙ＝」の後に参照キーワード３３ｗの文字列（例えば、「風量試験資料」）を検索条件として組み込んでアクセス検索式４３を作成するように構成してある。
【００８３】
ステップＳ１１：
検索式作成手段１０により作成されたアクセス検索式４３は、設計手順データ更新手段１２により、設計手順データ４ｄの参照情報欄３３に記述してあった単なる文字列としての参照キーワード３３ｗに貼り付け（付加）される。つまり、設計手順データ４ｄは更新されて更新設計手順データ４ｄｒ（図６）に置き換えられる。
【００８４】
置き換え（貼り付け）は、例えばハイパーリンク機能を使い、単なる文字列としての参照キーワード３３ｗにアクセス検索式４３（の情報）を付加するといった方法を使う。これにより、単なる文字列である参照キーワード３３ｗをマウス（ポインタ）でクリックすることができるようになる。
【００８５】
図６では、更新した設計手順データ（更新設計手順データ）４ｄｒを示している。つまり、参照情報欄３３の参照キーワード３３ｗとしての「風量試験資料」「騒音試験資料」にはそれぞれリンク下線４５、４６が追加してあり、参照キーワード３３ｗにアクセス検索式４３が貼付（付加）されたことを示している。
【００８６】
したがって、設計手順データ４ｄｒで参照キーワード３３ｗ（「風量試験資料」「騒音試験資料」）をクリックすると、単なる文字列に付加されたアクセス検索式４３の情報がネットワークＮＷを伝って転送され、指定したサーバ６のＩＰアドレスからデータベース（ノウハウデータベース６ｄｂ）につながり、検索を実行することができる。つまり、参照キーワード３３ｗに対応する参照情報３６（ノウハウデータベース６ｄｂに保存してある参照情報３６）を更新設計手順データ４ｄｒと関連付けることができる。
【００８７】
ステップＳ１３：
検索式実行手段１６により、更新設計手順データ４ｄｒからアクセス検索式４３を取り出し、ネットワークＮＷへ転送すると、アクセス検索式４３はサーバ６のＩＰアドレスに従ってノウハウデータベース６ｄｂへ転送され、確認検索を行うことができる。したがって、ノウハウデータベース６ｄｂはアクセス検索式４３の内容を受け取り、検索条件に一致したデータを確認検索結果データ５０（図７参照）として出力する。
【００８８】
アクセス検索式４３は、参照キーワード３３ｗに対応する参照情報３６が実際にノウハウデータベース６ｄｂにあるか否かに関係なく検索式作成手段１０により機械的に作成されていることから、検索式実行手段１６による確認検索はアクセス検索式４３の実用性、妥当性を確認することを目的として行われる。つまり、確認検索の結果を評価判定することにより、更新設計手順データ４ｄｒの参照キーワード３３ｗとノウハウデータベース６ｄｂに保存されている参照情報３６との関連付けが正しく行われているか否かを容易に検証することが可能となる。
【００８９】
図７では、確認検索結果データ５０として、ヒット件数欄５１にヒット件数が３件であり、その内容（ヒットファイル：参照情報３６）は例えば「風量試験資料」に対応して「２００４年風量試験結果」「２００３年風量試験結果」「２００２年風量試験結果」として存在する（図３のノウハウデータ６ｄ参照）ことをヒットファイル名欄５２により示している。
【００９０】
ステップＳ１５：
検索結果判定手段１８により、確認検索結果データ５０の内容（ヒット件数欄５１）を読み取り、分析し、ヒット件数の状況（１件以上か否か）を確認して評価判定を行う。
【００９１】
ステップＳ１７：
ヒット件数が１件以上存在した場合は、検索結果判定手段１８によりその旨を確認検索評価判定データ５５（図８（Ａ）参照）に記述し、評価判定結果として出力手段２ｃにより出力する。
【００９２】
図８（Ａ）では、確認検索評価判定データ５５として、設計手順分類番号欄５６、ヒット件数欄５７（例えば、ヒット件数３件）、コメント欄５８（定型コメント：「ヒットしたファイルの内容を確認してください。」）、参照キーワード欄５９（参照キーワード３３ｗとしての風量試験資料）、参照キーワード３３ｗのアドレス欄６０（アクセス検索式４３）を記述している。
【００９３】
ヒット件数が１件以上存在した場合は、確認検索評価判定データ５５にさらにファイル内容６１（ノウハウデータの内容：参照情報３６に対応）を付加して同時に出力する形態とすることができる。ファイル内容６１は、それぞれのファイル（ヒットファイル名欄５２に対応するヒットファイル「２００４年風量試験結果」「２００３年風量試験結果」「２００２年風量試験結果」）を例えば文章形式（テキストデータ）または画像形式（画像データ）としてサムネイル表示６２として出力することが可能である。サムネイル表示６２を用いることにより一覧性、視認性が高まり内容確認の処理効率を向上することが可能となる。
【００９４】
なお、サムネイル表示６２を付加する場合は、検索結果判定手段１８がノウハウデータベース６ｄｂへ、ヒットしたデータ（ファイル：ヒットファイル名欄５２に対応するヒットファイル）のサムネイル画像を要求し、ヒットした内容を個別に画像データとして作成し、確認検索評価判定データ５５へ貼り付けて出力する。なお、サムネイル画像は、ノウハウデータベース６ｄｂが有する機能により形成することができる。
【００９５】
ヒット件数が０件であった場合は、検索式がまずいかノウハウデータベースにデータが登録されていない旨を確認検索評価判定データ５５（図８（Ｂ）参照）に記述し、評価判定結果として出力手段２ｃにより出力する。
【００９６】
図８（Ｂ）では、確認検索評価判定データ５５として、設計手順分類番号欄５６、ヒット件数欄５７ｂ（ヒット件数０件）、コメント欄５８ｂ（定型コメント：「データベースにデータがないか、キーワードに問題があります。」）、参照キーワード欄５９、参照キーワード３３ｗのアドレス欄６０を記述している。
【００９７】
ステップＳ１３からステップＳ１７において検索結果判定手段１８により、参照キーワード３３ｗに貼付したアクセス検索式４３が正しく作用するかどうか、つまり参照キーワード３３ｗと参照情報３６との関連付けが妥当になされたか否かを確認することができる。
【００９８】
なお、本実施の形態での各ステップは、実施の形態１で説明したとおり設計支援装置１にインストールしてあるコンピュータプログラムを用いて実行することができる。
【００９９】
＜実施の形態３＞
図９は、本発明の実施の形態３に係る設計支援装置で設計手順データに参照キーワードを追加する場合の処理フローを示すフロー図である。なお、各ステップでそれぞれ関連する図１０ないし図１２についても併せて説明する。
【０１００】
図１０は、本発明の実施の形態３に係る設計支援装置での検索キーワードデータの構成例を示す説明図表である。図１１は、本発明の実施の形態３に係る設計支援装置での検索キーワード集計データおよび検索日時テーブルデータの構成例を示す説明図表である。図１２は、本発明の実施の形態３に係る設計支援装置での更新設計手順データの構成例を示す説明図表である。
【０１０１】
ステップＳ１９：
入力手段２ｂから、設計手順分類番号３１を指定入力する。これにより以下の各ステップでの処理対象を設計手順データ４ｄ（更新設計手順データ４ｄｒ：図６）の設計手順分類番号欄３１で設計手順分類番号が例えば「５−１−１」のデータに限定することが可能となる。
【０１０２】
ステップＳ２１：
検索キーワード取得手段２０により、ノウハウデータベース６ｄｂがその機能として保持している検索ツール（データベースソフト形態としての使用）を用いて、ノウハウデータベース６ｄｂに対して直接行った検索で使用した検索キーワード６８を取得し、検索キーワードデータ２０ｄ（図１０参照）として出力する。設計手順分類番号「５−１−１」が指定してあることから、設計手順分類番号「５−１−１」単位で検索キーワードデータ２０ｄを作成することができる。
【０１０３】
図１０では、設計手順分類番号欄６５で設計手順分類番号は「５−１−１」であることを示し、設計手順分類番号５−１−１に関連して検索キーワード６８として「ファン仕様」「キャビネット図面」「ファンモータ仕様」・・・を取得したことを検索キーワード欄６６で示している。また、図４の場合と同様に、検索キーワード欄６６に対応させてアドレスを追加できるようにアドレス欄６７を設けている。
【０１０４】
ステップＳ２３：
検索キーワード集計手段２２により、検索キーワードデータ２０ｄに記載されている検索キーワード６８が、検索キーワード集計手段２２が蓄積して保持する検索キーワード集計データ２２ｄ（図１１参照）に記載してあるか否かを確認判定する。記載がある場合（Ｓ２３：ＹＥＳ）にはステップＳ２９へ進む。記載がない場合（Ｓ２３：ＮＯ）にはステップＳ２５へ進む。
【０１０５】
図１１では、検索キーワード集計データ２２ｄとして、設計手順分類番号欄７０で設計手順分類番号は「５−１−１」であることを示し、設計手順分類番号「５−１−１」に関連して検索キーワード６８として「ファン仕様」「キャビネット図面」「ファンモータ仕様」・・・が蓄積（集計）されている状況を検索キーワード欄７１で示し、各検索キーワード６８の蓄積出現回数を出現回数欄７２で示し、各検索キーワード６８に対応させて検索日時テーブル名欄７３に検索日時テーブル名を記載している。
【０１０６】
また、図１１では、検索日時テーブル２２ｔの集合として検索日時テーブルデータ２２ｔｄが構成してあることを示している。
【０１０７】
ステップＳ２５：
検索キーワード集計手段２２により、初めて使用した検索キーワード（６８）を検索キーワード集計データ２２ｄの検索キーワード欄７１に追加する。
【０１０８】
ステップＳ２７：
検索キーワード集計手段２２により、検索キーワード欄７１の追加（Ｓ２５）に加え、検索日時テーブル名欄７３に検索日時テーブル名を追加し、対応させて新規の検索日時テーブル２２ｔを追加する。
【０１０９】
ステップＳ２９：
検索キーワード集計手段２２により、検索キーワード集計データ２２ｄの出現回数欄７２に回数「１」を加える。
【０１１０】
ステップＳ３１：
検索キーワード集計手段２２により、日時テーブル２２ｔに日時を記入する。
【０１１１】
つまり、ステップＳ２３からステップＳ３１では、検索キーワード集計手段２２により、検索キーワードデータ２０ｄに記載された検索キーワード６８の集計処理を行う。
【０１１２】
ステップＳ３３：
参照キーワード追加判定手段２４により、検索キーワード集計データ２２ｄの検索キーワード６８を参照キーワード３３ｓとして設計手順データ４ｄへ追加するかどうかを判定する。参照キーワード追加判定手段２４には、検索キーワード６８を参照キーワード３３ｓとして追加するか否かを判定する閾値（追加判定基準）が予め設定してある。例えば、検索キーワード集計データ２２ｄの出現回数欄７２が、ある一定回数（例えば５０回）の出現回数を超えると検索キーワード６８を設計手順データ４ｄへ追加すると設定しておく。
【０１１３】
追加する場合（Ｓ３３：ＹＥＳ）はステップＳ３５へ進む。追加しない場合（Ｓ３３：ＮＯ）はステップＳ２３へ戻る。検索キーワード集計データ２２ｄで検索キーワード欄７１の検索キーワード６８（ファン仕様）が出現回数５０回となっており、追加対象と判定される。
【０１１４】
なお、参照キーワード追加判定手段２４が検索キーワード６８を参照キーワード３３ｓとして追加するか否かを判定する閾値は、出現回数に限らず、あるキーワードの出現回数と他のキーワードとの出現回数の差や比率に基づいて決定することができる。また、期間を設定し、その期間内に出現した検索キーワード６８を追加の対象とすることもできる。つまり、参照キーワード追加判定手段２４での追加判定基準は変更可能な構成とすることができることから、設計支援装置のユーザの必要度に応じた追加判定基準とすることが可能となる。
【０１１５】
ステップＳ３５：
参照キーワード追加手段２６により、追加すると判定した検索キーワード６８（ファン仕様）を参照キーワード３３ｓとして設計手順データ４ｄへ追加する。
【０１１６】
また、参照キーワード追加手段２６は、検索キーワードデータ２０ｄから追加する検索キーワード６８（ファン仕様）を取得し、検索式作成手段１０へ転送する。なお、検索キーワードデータ２０ｄと参照キーワードデータ８ｄとは同一構成で対象が参照キーワード３３ｓか検索キーワード６８かの違いであることから同一の手段で兼用することが可能である。
【０１１７】
ステップＳ３７：
検索式作成手段１０は、追加する検索キーワード６８（ファン仕様）に対応させて実施の形態２と同様にしてアクセス検索式４３（図５）を作成する。
【０１１８】
ステップＳ３９：
検索式作成手段１０により作成されたアクセス検索式４３は、設計手順データ更新手段１２により、設計手順データ４ｄの参照情報欄３３に追加した単なる文字列としての参照キーワード３３ｓである「ファン仕様」に貼り付け（付加）され、更新設計手順データ４ｄｒ（図１２参照）とされる。
【０１１９】
図１２では、実施の形態２で更新された更新設計手順データ４ｄｒ（図６参照）を「さらに更新」した場合を示している。つまり、追加された参照キーワード３３ｓとしての「ファン仕様」が参照情報欄３３に追加され、リンク下線４７が追加してある。なお、２回目以降の更新では一度更新された前回の更新設計手順データ４ｄｒが設計手順データ４ｄに対応することになる。
【０１２０】
なお、ステップＳ３９の後、実施の形態２のステップＳ１３からステップＳ１７までのステップと同様にして、検索キーワード６８（参照キーワード３３ｓ）について設計手順データ４ｄへの関連付けの妥当性を検証することができることは言うまでもない。
【０１２１】
なお、本実施の形態での各ステップは、実施の形態２と同様に、実施の形態１で説明したとおり設計支援装置１にインストールしてあるコンピュータプログラムを用いて実行することができる。
【図面の簡単な説明】
【０１２２】
【図１】本発明の実施の形態１に係る設計支援装置の概略構成を示すブロック図である。
【図２】本発明の実施の形態２に係る設計支援装置で参照キーワードにノウハウデータベースを関連付ける場合の処理フローを示すフロー図である。
【図３】本発明の実施の形態２に係る設計支援装置での設計手順データおよびノウハウデータの構成例を示す説明図表である。
【図４】本発明の実施の形態２に係る設計支援装置での参照キーワードデータの構成例を示す説明図表である。
【図５】本発明の実施の形態２に係る設計支援装置でのアクセス検索式の構成例を示す説明図である。
【図６】本発明の実施の形態２に係る設計支援装置での更新設計手順データの構成例を示す説明図表である。
【図７】本発明の実施の形態２に係る設計支援装置での確認検索結果データの構成例を示す説明図表である。
【図８】本発明の実施の形態２に係る設計支援装置での確認検索評価判定データの構成例を示す説明図表であり、（Ａ）はヒット件数が１件以上の場合の構成例であり、（Ｂ）はヒット件数が０件の場合の構成例である。
【図９】本発明の実施の形態３に係る設計支援装置で設計手順データに参照キーワードを追加する場合の処理フローを示すフロー図である。
【図１０】本発明の実施の形態３に係る設計支援装置での検索キーワードデータの構成例を示す説明図表である。
【図１１】本発明の実施の形態３に係る設計支援装置での検索キーワード集計データおよび検索日時テーブルデータの構成例を示す説明図表である。
【図１２】本発明の実施の形態３に係る設計支援装置での更新設計手順データの構成例を示す説明図表である。
【符号の説明】
【０１２３】
１  設計支援装置
２  ＰＣ（パーソナルコンピュータ）
４  設計手順データ保存手段
４ｄ  設計手順データ
４ｄｒ  更新設計手順データ
６  サーバ
６ｄ  ノウハウデータ
６ｄｂ  ノウハウデータベース
８  参照キーワード取得手段
８ｄ  参照キーワードデータ
１０  検索式作成手段
１２  設計手順データ更新手段
１４  設計手順分類番号取得手段
１６  検索式実行手段
１８  検索結果判定手段
２０  検索キーワード取得手段
２０ｄ  検索キーワードデータ
２２  検索キーワード集計手段
２２ｄ  検索キーワード集計データ
２２ｄｂ  検索キーワード集計データベース
２４  参照キーワード追加判定手段
２６  参照キーワード追加手段
３３ｗ  参照キーワード
３３ｓ  参照キーワード（検索キーワード）
３６  参照情報
４３  アクセス検索式
６８  検索キーワード
ＮＷ  ネットワーク
【図１】
2006301948.tif 000003
【図２】
2006301948.tif 000004
【図３】
2006301948.tif 000005
【図４】
2006301948.tif 000006
【図５】
2006301948.tif 000007
【図６】
2006301948.tif 000008
【図７】
2006301948.tif 000009
【図８】
2006301948.tif 000010
【図９】
2006301948.tif 000011
【図１０】
2006301948.tif 000012
【図１１】
2006301948.tif 000013
【図１２】
2006301948.tif 000014